(57)【特許請求の範囲】
【請求項１】
空調装置が設置された空調室と、当該空調室から空気が流入する第１空気流入室とを含む建物における空調を制御する空調制御システムであって、
前記第１空気流入室の温度を取得する温度取得部と、
前記温度取得部によって取得された取得温度に基づいて、前記空調装置を制御する制御部とを備え、
前記制御部は、前記空調装置に設定されている前記空調室の設定温度と、前記取得温度との温度差に基づいて前記制御を行う
空調制御システム。
【請求項２】
前記空調装置は、前記空調室の設定温度として、基準設定温度と、当該基準設定温度よりも、前記空調装置における消費電力が小さくなる省電力設定温度とに設定可能であり、
前記制御部は、前記空調装置に前記省電力設定温度が設定されている場合において、前記基準設定温度と前記取得温度との温度差の方が、前記省電力設定温度と前記取得温度との温度差よりも大きいときに、前記基準設定温度と前記取得温度との温度差が、前記基準設定温度と前記省電力設定温度との温度差よりも大きな第１温度差よりも大きくなると、前記空調装置の設定温度を、前記省電力設定温度から前記基準設定温度に変更させるように、前記制御を行う
請求項１に記載の空調制御システム。
【請求項３】
前記制御部は、前記空調装置に前記基準設定温度が設定されている場合において、前記基準設定温度と前記取得温度との温度差の方が、前記省電力設定温度と前記取得温度との温度差よりも大きいときに、前記基準設定温度と前記取得温度との温度差が、前記第１温度差よりも小さな第２温度差よりも小さくなると、前記空調装置の設定温度を、前記基準設定温度から前記省電力設定温度に変更させるように、前記制御を行う
請求項２に記載の空調制御システム。
【請求項４】
さらに、前記空調室に人物が存在するか否かを示す情報を取得する情報取得部を備え、
前記制御部は、さらに、前記情報取得部によって取得される情報が否定的である場合に限って、前記空調室の設定温度が、前記省電力設定温度に設定されるように、前記制御を行う
請求項２又は３に記載の空調制御システム。
【請求項５】
さらに、現在時刻が所定の期間内であるか否かを示す情報を取得する情報取得部を備え、
前記制御部は、さらに、前記情報取得部によって取得される情報が肯定的である場合に限って、前記空調室の設定温度が、前記省電力設定温度に設定されるように、前記制御を行う
請求項２又は３に記載の空調制御システム。
【請求項６】
前記第１空気流入室は、前記第１空気流入室内の空気を外部に排気することで、前記空調室から前記第１空気流入室へ空気を流入させる第１排気ファンが設置され、
前記制御部は、さらに、前記温度取得部によって取得された温度に基づいて、前記第１排気ファンにおける単位時間当たりの排気量である第１排気量を制御する
請求項１〜５のいずれか１項に記載の空調制御システム。
【請求項７】
前記建物は、さらに、前記空調室から空気が流入する第２空気流入室を含み、
前記第２空気流入室は、前記第２空気流入室内の空気を外部に排気することで、前記空調室から前記第２空気流入室へ空気を流入させる第２排気ファンが設置され、
前記制御部は、前記第１排気量の制御において、前記第１排気量と、前記第２排気ファンにおける単位時間当たりの排気量である第２排気量との和が一定となるように、前記第１排気量と前記第２排気量とを制御する
請求項６に記載の空調制御システム。
【請求項８】
空調装置が設置された空調室と、当該空調室から空気が流入する第１空気流入室とを含む建物における空調を制御する空調制御システムが行う空調制御方法であって、
前記第１空気流入室の温度を取得する第１ステップと、
前記第１ステップにおいて取得された取得温度に基づいて、前記空調装置を制御する第２ステップとを含み、
前記第２ステップでは、前記空調装置に設定されている前記空調室の設定温度と、前記取得温度との温度差に基づいて前記空調装置を制御する
空調制御方法。
【発明の詳細な説明】
【技術分野】
【０００１】
本発明は、建物等における空調を制御する空調制御システム、及びその空調制御システムで用いられる空調制御方法に関する。
【背景技術】
【０００２】
例えば、特許文献１に記載されているように、従来、建物等における空調を制御する技術が知られている。
【先行技術文献】
【特許文献】
【０００３】
【特許文献１】特開２０１５−４５４８９号公報
【発明の概要】
【発明が解決しようとする課題】
【０００４】
一般に、人が活動する建物等には、エアコン等で代表される空調装置が設置されていない部屋（例えば、トイレ、洗面所等）が存在する場合がある。【０００５】
そして、空調装置が設置されていない部屋であっても、その部屋の温度に応じて、その部屋の温度を調整することが望まれる。【０００６】
そこで、本発明は、空調装置が設置されていない部屋であっても、その部屋の温度に応じて、その部屋の温度を調整し得る空調制御システムを提供することを目的とする。また、本発明は、その空調制御システムで用いられる空調制御方法を提供することを目的とする。
【課題を解決するための手段】
【０００７】
上記目的を達成するために、本発明の一態様に係る空調制御システムは、空調装置が設置された空調室と、当該空調室から空気が流入する第１空気流入室とを含む建物における空調を制御する空調制御システムであって、前記第１空気流入室の温度を取得する温度取得部と、前記温度取得部によって取得された取得温度に基づいて、前記空調装置を制御する制御部とを備える。【０００８】
また、本発明の一態様に係る空調制御方法は、空調装置が設置された空調室と、当該空調室から空気が流入する第１空気流入室とを含む建物における空調を制御する空調制御システムが行う空調制御方法であって、前記第１空気流入室の温度を取得する第１ステップと、前記第１ステップにおいて取得された取得温度に基づいて、前記空調装置を制御する第２ステップとを含む。
【発明の効果】
【０００９】
本発明によれば、空調装置が設置されていない部屋であっても、その部屋の温度に応じて、その部屋の温度を調整し得る。
【図面の簡単な説明】
【００１０】
【図１】図１は、実施の形態に係る住宅の見取り図である。
【図２】図２は、実施の形態に係る空調制御システムの構成を示すブロック図である。
【図３】図３は、実施の形態に係る空調制御処理のフローチャートである。
【図４】図４は、第１具体例における第１空気流入室の温度推移図である。
【図５】図５は、第２具体例における第１空気流入室の温度推移図である。
【図６】図６は、第３具体例における第１空気流入室の温度推移図である。
【図７】図７は、第４具体例における第１空気流入室の温度推移図である。
【発明を実施するための形態】
【００１１】
以下、実施の形態について、図面を参照して説明する。ここで示す実施の形態は、いずれも本発明の一具体例を示すものである。従って、以下の実施の形態で示される数値、形状、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
（実施の形態）
以下、実施の形態に係る空調制御システムについて説明する。
【００１３】
実施の形態に係る空調制御システムは、例えば、住宅、オフィス、店舗、病院といった建物において利用される。
【００１４】
ここでは、一例として、住宅１０で利用される空調制御システム１について、図面を参照しながら説明する。
【００１５】
［１．空調制御システム１の構成］
図１は、空調制御システム１を利用する住宅１０の見取り図である。
【００１６】
同図に示されるように、住宅１０は、居間１１と、和室１２と、トイレ１３と、洗面所１４と、台所１５と、廊下１６と、玄関１７とを含んで構成される。
【００１７】
居間１１には、空調装置２１Ａと、センサ２３Ａとが設置されている。そして、和室１２には、空調装置２１Ｂと、センサ２３Ｂとが設置されている。
【００１８】
空調装置２１Ａと空調装置２１Ｂとは、同様の機能を有している。このため、以下では、空調装置２１Ａと空調装置２１Ｂとを区別して説明する必要がある場合を除いて、これらを総称して、空調装置２１とも呼ぶ。また、居間１１と和室１２とには、空調装置２１が設置されていることから、居間１１と和室１２とを区別して説明する必要がある場合を除いて、これらを総称して、空調室とも呼ぶ。
【００１９】
空調装置２１は、自装置が設置された空調室の空調を行う、例えばエアコンである。
【００２０】
空調装置２１は、自装置が設置された空調室の温度が、ユーザによって設定された設定温度に保たれるように、冷風又は温風を送出する。
【００２１】
空調装置２１は、空調室の設定温度として、基準設定温度と、基準設定温度よりも空調装置２１における消費電力が少なくなる省電力設定温度とに設定可能である。
【００２２】
例えば、冬季（暖房が必要な期間）において、基準設定温度は２０度、省電力設定温度は１８度であってよい。また、例えば、夏季（冷房が必要な期間）において、基準設定温度は２５度、省電力設定温度は２７度であってよい。
【００２３】
空調装置２１は、外部装置と通信する機能を有し、通信する外部装置からの制御信号によって、空調室の設定温度が設定可能となっている。
【００２４】
センサ２３Ａとセンサ２３Ｂとは、同様の機能を有する。このため、以下では、センサ２３Ａとセンサ２３Ｂとを区別して説明する必要がある場合を除いて、これらを総称して、センサ２３とも呼ぶ。
【００２５】
センサ２３は、自装置が設置された空調室に人物が存在するか否かを検知する。また、センサ２３は、外部装置との通信機能を有する。センサ２３は、一例として、通信インタフェースを有する赤外線型人感センサによって実現される。
【００２６】
トイレ１３には、第１排気ファン３１と温度センサ３３とが設置されている。
【００２７】
第１排気ファン３１は、トイレ１３内の空気を外部に排気することで、空調室から、廊下１６を経由して、トイレ１３へ空気を流入させる。以下では、このトイレ１３のことを、第１空気流入室とも呼ぶ。第１空気流入室と空調室とは、壁及び扉によって互いに仕切られている。その一方で、それぞれの壁又は扉には、空気が出入りする通風領域（例えば通風孔等）が存在している。このため、空調室から第１空気流入室への空気の流入が可能となっている。また、第１排気ファン３１は、外部装置との通信機能を有し、通信する外部装置からの制御信号によって、排気量が設定可能となっている。第１排気ファン３１は、一例として、通信インタフェースを有する換気扇によって実現される。
【００２８】
温度センサ３３は、第１空気流入室の温度を検知する。また、温度センサ３３は、外部装置との通信機能を有する。温度センサ３３は、一例として、通信インタフェースを有する温度計によって実現される。
【００２９】
洗面所１４には、第２排気ファン３２が設置されている。
【００３０】
第２排気ファン３２は、洗面所１４内の空気を外部に排気することで、空調室から、廊下１６を経由して、洗面所１４へ空気を流入させる。以下では、この洗面所１４のことを、第２空気流入室とも呼ぶ。第２空気流入室と空調室とは、壁及び扉によって互いに仕切られている。その一方で、それぞれの壁又は扉には、空気が出入りする通風領域（例えば通風孔等）が存在している。このため、空調室から第２空気流入室への空気の流入が可能となっている。また、第２排気ファンは、外部装置との通信機能を有し、通信する外部装置からの制御信号によって、排気量が設定可能となっている。第２排気ファン３２は、一例として、通信インタフェースを有する換気扇によって実現される。
【００３１】
ここでは、空調装置２１、センサ２３、第１排気ファン３１、第２排気ファン３２、及び温度センサ３３は、暖房や冷房など空調が必要な時期には、２４時間起動状態が維持されているとする。
【００３２】
図２は、上記構成の住宅１０で利用される空調制御システム１の構成を示すブロック図である。
【００３３】
同図に示されるように、空調制御システム１は、温度取得部２と、情報取得部３と、制御部４とを含んで構成される。
【００３４】
空調制御システム１は、一例として、プロセッサと、メモリと、通信インタフェースとを含むコンピュータ装置によって実現される。
【００３５】
温度取得部２は、第１空気流入室の温度を取得する。より具体的には、温度取得部２は、温度センサ３３と通信することで、温度センサ３３から、温度センサ３３によって検知された第１空気流入室の温度を取得する。
【００３６】
温度取得部２は、例えば、図示されないメモリに記憶されたプログラムを図示されないプロセッサが実行することで実現される。
【００３７】
情報取得部３は、空調室に人物が存在するか否かを示す情報を取得する。より具体的には、情報取得部３は、センサ２３と通信することで、センサ２３から、センサ２３によって検知された、空調室に人物が存在するか否かを示す情報を取得する。
【００３８】
情報取得部３は、例えば、図示されないメモリに記憶されたプログラムを図示されないプロセッサが実行することで実現される。
【００３９】
制御部４は、温度取得部２によって取得された取得温度に基づいて、空調装置２１を制御する。
【００４０】
制御部４は、空調装置２１に省電力設定温度が設定されている場合において、基準値設定温度と取得温度との温度差の方が、省電力設定温度と取得温度との温度差よりも大きいときには、例えば、以下の動作を行うとしてもよい。すなわち、制御部４は、基準設定温度と取得温度との温度差が、基準設定温度と省電力設定温度との温度差よりも大きな第１温度差よりも大きくなると、空調装置２１の設定温度を、省電力設定温度から基準設定温度に変更させるように、空調装置の制御を行う。例えば、第１温度差は、基準設定温度と省電力設定温度との温度差が２度である場合には、４度であってもよい。すなわち、第１温度差は、冬季（暖房が必要な期間）において、基準設定温度は２０度、省電力設定温度は１８度である場合に、４度であってよい。また、例えば、夏季（冷房が必要な期間）において、基準設定温度は２５度、省電力設定温度は２７度である場合に、４度であってよい。
【００４１】
また、制御部４は、空調装置２１に基準設定温度が設定されている場合において、基準値設定温度と取得温度との温度差の方が、省電力設定温度と取得温度との温度差よりも大きいときには、例えば、以下の動作を行うとしてもよい。すなわち、制御部４は、基準設定温度と取得温度との温度差が、第１温度差より小さな第２温度差よりも小さくなると、空調装置２１の設定温度を、基準設定温度から省電力設定温度に設定させるように、空調装置の制御を行う。例えば、第２温度差は、基準設定温度と省電力設定温度との温度差が２度であって、第１温度差が４度である場合には、３度であってもよい。すなわち、第１温度差は、冬季（暖房が必要な期間）において、基準設定温度は２０度、省電力設定温度は１８度であって、第１温度差が４度である場合に、３度であってよい。また、例えば、夏季（冷房が必要な期間）において、基準設定温度は２５度、省電力設定温度は２７度であって、第１温度差が４度である場合に、３度であってよい。
【００４２】
また、制御部４は、例えば、情報取得部３によって取得される情報が否定的である場合に限って、空調室の設定温度が省電力設定温度に設定されるように、空調装置の制御を行ってもよい。
【００４３】
また、制御部４は、例えば、温度取得部２によって取得された取得温度に基づいて、第１排気ファン３１における単位時間当たりの排気量である第１排気量を制御するとしてもよい。このとき、制御部４は、例えば、第１排気量と、第２排気ファン３２における単位時間当たりの排気量である第２排気量との和が一定になるように、第１排気量と第２排気量とを制御してもよい。
【００４４】
制御部４は、例えば、図示されないメモリに記憶されたプログラムを図示されないプロセッサが実行することで実現される。
【００４５】
上記構成の空調制御システム１が行う動作について、以下、図面を参照しながら説明する。
【００４６】
［２．空調制御システム１の動作］
［２−１．空調制御処理］
空調制御システム１は、その特徴的な動作として、空調制御処理を行う。
【００４７】
この空調制御処理は、第１空気流入室の温度を取得し、取得した取得温度に基づいて、空調装置等を制御する処理である。
【００４８】
図３は、空調制御処理のフローチャートである。
【００４９】
この空調制御処理は、空調制御システム１が起動されることで開始される。
【００５０】
空調制御処理が開始されると、温度取得部２は、温度センサ３３と通信することで、温度センサ３３から、温度センサ３３によって検知された第１空気流入室の温度（以下、「取得温度」とも呼ぶ。）を取得する（ステップＳ１）。
【００５１】
第１空気流入室の温度が取得されると、制御部４は、空調装置２１と通信することで、空調装置２１の設定温度が、省電力設定温度であるか否かを調べる（ステップＳ２）。
【００５２】
ステップＳ２の処理において、設定温度が省電力設定温度である場合に（ステップＳ２：Ｙｅｓ）、制御部４は、ステップＳ１の処理において取得された取得温度と、基準設定温度との温度差の方が、第１温度差よりも大きいか否かを調べる（ステップＳ３）。
【００５３】
ステップＳ３の処理において、取得温度と基準設定温度との温度差の方が第１温度差よりも大きい場合に（ステップＳ３：Ｙｅｓ）、制御部４は、空調装置２１に対して、設定温度を基準設定温度に変更させる旨の制御を行う。すると、空調装置２１は、設定温度を、基準設定温度に設定する（ステップＳ４）。
【００５４】
ステップＳ２の処理において、設定温度が省電力設定温度でない場合に（ステップＳ２：Ｎｏ）、制御部４は、空調装置２１と通信することで、空調装置２１の設定温度が、基準設定温度であるか否かを調べる（ステップＳ５）。
【００５５】
ステップＳ５の処理において、設定温度が基準設定温度である場合に（ステップＳ５：Ｙｅｓ）、制御部４は、ステップＳ１の処理において取得された取得温度と、基準設定温度との温度差の方が、第２温度差よりも小さいか否かを調べる（ステップＳ６）。
【００５６】
ステップＳ６の処理において、取得温度と基準設定温度との温度差の方が第２温度差よりも小さい場合に（ステップＳ６：Ｙｅｓ）、情報取得部３は、センサ２３と通信することで、空調室に人物が存在するか否かを示す情報を取得する。そして、制御部４は、情報取得部３によって取得された情報が否定的であるか否かを調べる（ステップＳ７）。
【００５７】
ステップＳ７の処理において、取得された情報が否定的である場合に（ステップＳ７：Ｙｅｓ）、制御部４は、空調装置２１に対して、設定温度を省電力設定温度に変更させる旨の制御を行う。すると、空調装置２１は、設定温度を、省電力設定温度に設定する（ステップＳ８）。
【００５８】
ステップＳ４の処理が終了した場合と、ステップＳ８の処理が終了した場合と、ステップＳ３の処理において、取得温度と基準設定温度との温度差の方が第１温度差よりも大きくない場合（ステップＳ３：Ｎｏ）と、ステップＳ５の処理において、設定温度が基準設定温度でない場合（ステップＳ５：Ｎｏ）と、ステップＳ６の処理において、取得温度と基準設定温度との温度差の方が第２温度差よりも小さくない場合（ステップＳ６：Ｎｏ）と、ステップＳ７の処理において、取得された情報が否定的である場合（ステップＳ７：Ｎｏ）とには、ステップＳ９の処理に進む。ステップＳ９の処理では、制御部４は、第１排気ファン３１及び第２排気ファン３２と通信することで、第１排気量と第２排気量との比率が、５：５であるか否かを調べる（ステップＳ９）。
【００５９】
ステップＳ９の処理において、その比率が５：５である場合に（ステップＳ９：Ｙｅｓ）、制御部４は、ステップＳ１の処理において取得された取得温度と、基準設定温度との温度差の方が、第３温度差よりも大きいか否かを調べる（ステップＳ１０）。
【００６０】
ステップＳ１０の処理において、取得温度と基準設定温度との温度差の方が第３温度差よりも大きい場合に（ステップＳ１０：Ｙｅｓ）、制御部４は、第１排気ファン３１及び第２排気ファン３２に対して、第１排気量と第２排気量との比率を７：３に変更させる旨の制御を行う。すると、第１排気ファン３１と第２排気ファン３２とは、第１排気量と第２排気量との比率が７：３となるように、それぞれ、第１排気量と第２排気量とを設定する（ステップＳ１１）。
【００６１】
ステップＳ９の処理において、その比率が５：５でない場合に（ステップＳ９：Ｎｏ）、制御部４は、ステップＳ１の処理において取得された取得温度と、基準設定温度との温度差の方が、第４温度差よりも小さいか否かを調べる（ステップＳ１２）。
【００６２】
ステップＳ１２の処理において、取得温度と基準設定温度との温度差の方が第４温度差よりも小さい場合に（ステップＳ１２：Ｙｅｓ）、制御部４は、第１排気ファン３１及び第２排気ファン３２に対して、第１排気量と第２排気量との比率を５：５に変更させる旨の制御を行う。すると、第１排気ファン３１と第２排気ファン３２とは、第１排気量と第２排気量との比率が５：５となるように、それぞれ、第１排気量と第２排気量とを設定する（ステップＳ１３）。
【００６３】
ステップＳ１１の処理が終了した場合と、ステップＳ１３の処理が終了した場合と、ステップＳ１０の処理において、取得温度と基準設定温度との温度差の方が第３温度差よりも大きくない場合（ステップＳ１０：Ｎｏ）と、ステップＳ１２の処理において、取得温度と基準設定温度との温度差の方が第４温度差よりも小さくない場合（ステップＳ１２：Ｎｏ）とには、ステップＳ１４の処理に進む。
【００６４】
ステップＳ１４の処理では、空調制御システム１は、前回、温度取得部２が取得温度を取得してから所定時間（例えば１分）経過するまで待機する（ステップＳ１４；Ｎｏを繰り返す）。そして、所定時間経過すると、（ステップＳ１４：Ｙｅｓ）、空調制御システム１は、再びステップＳ１の処理に進んで、ステップＳ１以降の処理を繰り返す。
【００６５】
［２−２．具体動作例］
以下、空調制御システム１が上記空調制御処理を行う場合における、第１空気流入室の具体的な温度変化の具体例について、図面を参照しながら説明する。
【００６６】
第１具体例、第２具体例は、冬季（暖房が必要な期間）において、基準設定温度が２０度、省電力設定温度が１８度、第１温度差が５度、第２温度差が４度、第３温度差が６度、第４温度差が３度であって、空調室に人物が存在しない場合における具体例である。これら具体例において、初期状態における空調装置２１の設定温度は、省電力設定温度に設定されており、初期状態における第１排気量と第２排気量との比率は、５：５に設定されている。
【００６７】
第３具体例、第４具体例は、冬季（暖房が必要な期間）において、基準設定温度が２０度、省電力設定温度が１８度、第１温度差が６度、第２温度差が３度、第３温度差が５度、第４温度差が４度であって、空調室に人物が存在しない場合における具体例である。これら具体例において、初期状態における空調装置２１の設定温度は、省電力設定温度に設定されており、初期状態における第１排気量と第２排気量との比率は、５：５に設定されている。
【００６８】
［２−２−１．第１具体例］
図４は、第１具体例における第１空気流入室の温度推移図である。
【００６９】
同図に示されるように、この第１具体例では、時刻Ｔ０〜時刻Ｔ１にかけて、第１空気流入室の温度は下がり続けている。そして、時刻Ｔ１において、第１空気流入室の温度が、基準設定温度から第１温度差だけ低い温度である１５度を下回ると（ステップＳ３：Ｙｅｓ）、空調装置２１は、設定温度を、基準設定温度に設定する（ステップＳ４）。
【００７０】
すると、空調装置２１から、今までよりも暖かい温風が送出されることとなるため、空調室から第１空気流入室へ流入する空気の温度が上昇し、第１空気流入室の温度は、上昇に転ずる。そして、時刻Ｔ２において、第１空気流入室の温度が、基準設定温度から第２温度差だけ低い温度である１６度を上回ると（ステップＳ６：Ｙｅｓ）、空調室に人物が存在しないため（ステップＳ７：Ｙｅｓ）、空調装置２１は、設定温度を、省電力設定温度に設定する（ステップＳ８）。
【００７１】
すると、第１空気流入室には、空調装置２１から、今までよりも冷たい温風が送出されることとなるため、空調室から第１空気流入室へ流入する空気の温度が下降し、第１空気流入室の温度は、下降に転ずる。
【００７２】
［２−２−２．第２具体例］
図５は、第２具体例における第１空気流入室の温度推移図である。
【００７３】
同図に示されるように、この第２具体例では、時刻Ｔ０〜時刻Ｔ１にかけて、第１空気流入室の温度は下がり続けている。そして、時刻Ｔ１において、第１空気流入室の温度が、基準設定温度から第１温度差だけ低い温度である１５度を下回ると、（ステップＳ３：Ｙｅｓ）、空調装置２１は、設定温度を、基準設定温度に設定する（ステップＳ４）。
【００７４】
すると、空調装置２１から、今までよりも暖かい温風が送出されることとなるため、空調室から第１空気流入室へ流入する空気の温度が上昇する。これにより、第１空気流入室の温度の下降ペースが緩やかになるものの、依然、第１空気流入室の温度は下降を続ける。
【００７５】
そして、時刻Ｔ２において、第１空気流入室の温度が、基準設定温度から第３温度差だけ低い温度である１４度を下回ると（ステップＳ１０：Ｙｅｓ）、第１排気ファン３１と第２排気ファン３２とは、第１排気量と第２排気量との比率が７：３となるように、それぞれ、第１排気量と第２排気量とを設定する（ステップＳ１１）。
【００７６】
すると、第１空気流入室には、空調室から、今までよりも多くの空気が流入されることとなるため、第１空気流入室の温度は、上昇に転ずる。そして、時刻Ｔ３において、第１空気流入室の温度が、基準設定温度から第２温度差だけ低い温度である１６度を上回ると（ステップＳ６：Ｙｅｓ）、空調室に人物が存在しないため（ステップＳ７：Ｙｅｓ）、空調装置２１は、設定温度を、省電力設定温度に設定する（ステップＳ８）。
【００７７】
すると、第１空気流入室には、空調装置２１から、今までよりも冷たい温風が送出されることとなるため、空調室から第１空気流入室へ流入する空気の温度が下降する。これにより、第１空気流入室の温度の上昇ペースが緩やかになるものの、依然、第１空気流入室の温度は上昇を続ける。そして、時刻Ｔ４において、第１空気流入室の温度が、基準設定温度から第４温度差だけ低い温度である１７度を上回ると、（ステップＳ１２：Ｙｅｓ）、第１排気ファン３１と第２排気ファン３２とは、第１排気量と第２排気量との比率が５：５となるように、それぞれ、第１排気量と第２排気量とを設定する（ステップＳ１３）。
【００７８】
すると、第１空気流入室には、空調室から、今までよりも少ない空気が流入されることとなるため、第１空気流入室の温度は、下降に転ずる。
【００７９】
［２−２−３．第３具体例］
図６は、第３具体例における第１空気流入室の温度推移図である。
【００８０】
同図に示されるように、この第１具体例では、時刻Ｔ０〜時刻Ｔ１にかけて、第１空気流入室の温度は下がり続けている。そして、時刻Ｔ１において、第１空気流入室の温度が、基準設定温度から第３温度差だけ低い温度である１５度を下回ると（ステップＳ１０：Ｙｅｓ）、第１排気ファン３１と第２排気ファン３２とは、第１排気量と第２排気量との比率が７：３となるように、それぞれ、第１排気量と第２排気量とを設定する（ステップＳ１１）。
【００８１】
すると、第１空気流入室には、空調室から、今までよりも多くの空気が流入されることとなるため、第１空気流入室の温度は、上昇に転ずる。そして、時刻Ｔ２において、第１空気流入室の温度が、基準設定温度から第４温度差だけ低い温度である１６度を上回ると（ステップＳ１２：Ｙｅｓ）、第１排気ファン３１と第２排気ファン３２とは、第１排気量と第２排気量との比率が５：５となるように、それぞれ、第１排気量と第２排気量とを設定する（ステップＳ１３）。
【００８２】
すると、第１空気流入室には、空調室から、今までよりも少ない空気が流入されることとなるため、第１空気流入室の温度は、下降に転ずる。
【００８３】
［２−２−４．第４具体例］
図７は、第４具体例における第１空気流入室の温度推移図である。
【００８４】
同図に示されるように、この第４具体例では、時刻Ｔ０〜時刻Ｔ１にかけて、第１空気流入室の気温は下がり続けている。そして、時刻Ｔ１において、第１空気流入室の温度が、基準設定温度から第３温度差だけ低い温度である１５度を下回ると、（ステップＳ１０：Ｙｅｓ）、第１排気ファン３１と第２排気ファン３２とは、第１排気量と第２排気量との比率が７：３となるように、それぞれ、第１排気量と第２排気量とを設定する（ステップＳ１１）。
【００８５】
すると、第１空気流入室には、空調室から、今までよりも多くの空気が流入されることとなる。これにより、第１空気流入室の温度の下降ペースが緩やかになるものの、依然、第１空気流入室の温度は下降を続ける。
【００８６】
そして、時刻Ｔ２において、第１空気流入室の温度が、基準設定温度から第１温度差だけ低い温度である１４度を下回ると（ステップＳ３：Ｙｅｓ）、空調装置２１は、設定温度を、基準設定温度に設定する（ステップＳ４）。
【００８７】
すると、空調装置２１から、今までよりも暖かい温風が送出されることとなるため、空調室から第１空気流入室へ流入する空気の温度が上昇する。これにより、第１空気流入室の温度は、上昇に転ずる。そして、時刻Ｔ３において、第１空気流入室の温度が、基準設定温度から第４温度差だけ低い温度である１６度を上回ると（ステップＳ１２：Ｙｅｓ）、第１排気ファン３１と第２排気ファン３２とは、第１排気量と第２排気量との比率が５：５となるように、それぞれ、第１排気量と第２排気量とを設定する（ステップＳ１３）。
【００８８】
すると、第１空気流入室には、空調室から、今までよりも少ない空気が流入されることとなる。これにより、第１空気流入室の温度の上昇ペースが緩やかになるものの、依然、第１空気流入室の温度は上昇を続ける。そして、時刻Ｔ４において、第１空気流入室の温度が、基準設定温度から第２温度差だけ低い温度である１７度を上回ると、（ステップＳ６：Ｙｅｓ）、空調室に人物が存在しないため（ステップＳ７：Ｙｅｓ）、空調装置２１は、設定温度を、省電力設定温度に設定する（ステップＳ８）。
【００８９】
すると、第１空気流入室には、空調装置２１から、今までよりも冷たい温風が送出されることとなるため、空調室から第１空気流入室へ流入する空気の温度が下降する。これにより、第１空気流入室の温度は、下降に転ずる。
【００９０】
［３．効果等］
上述したように、上記空調制御システム１によると、第１空気流入室には、第１空気流入室の温度に応じて制御される空調設備が設置された空調室から空気が流入する。
【００９１】
このため、第１空気流入室は、自室に空調設備が設置されていなくても、自室の温度に応じて、自室の温度が調整されることとなる。
【００９２】
（他の実施の形態等）
以上、実施の形態により、空調制御システムについて説明したが、実施の形態は一例にすぎず、各種の変更、付加、省略等が可能であることは言うまでもない。
【００９３】
実施の形態において、空調制御システム１は、情報取得部３が、空調室に人物が存在するか否かを示す情報を取得し、制御部４が、情報取得部３によって取得される情報が否定的である場合に限って、空調室の設定温度が省電力設定温度に設定されるように、空調装置の制御を行う構成であるとして説明した。これに対して、他の一例として、空調制御システム１は、情報取得部３が、現在時刻が所定の期間内であるか否かを示す情報を取得し、制御部４が、情報取得部３によって取得される情報が肯定的である場合に限って、空調室の設定温度が、省電力設定温度に設定されるように、空調装置の制御を行う構成である例も考えられる。この構成例によれば、所定の期間以外の期間には、設定温度が省電力設定温度にならないようにすることができる。
【００９４】
実施の形態において、空調制御システム１を利用する建物には、空調装置２１とセンサ２３とが設置される居間１１と、空調装置２１とセンサ２３とが設置される和室１２との２部屋が、空調室として含まれるとして説明した。しかしながら、空調制御システム１を利用する建物は、空調装置が設置される空調室が少なくとも１つ含まれる建物であれば、必ずしも上記構成通りの建物に限定される必要はない。
【００９５】
また、実施の形態において、空調制御システム１を利用する建物には、第１排気ファン３１と温度センサ３３とが設置されるトイレ１３の１部屋が、第１空気流入室として含まれるとして説明した。しかしながら、空調制御システム１を利用する建物は、排気ファンと温度センサとが設置される第１空気流入室が少なくとも１つ含まれる建物であれば、必ずしも上記構成通りの建物に限定される必要はない。
【００９６】
また、実施の形態において、空調装置２１、センサ２３、第１排気ファン３１、第２排気ファン３２、温度センサ３３が、空調制御システム１の外部装置であるとして説明した。しかしながら、これらの装置の一部または全部が、空調制御システム１に含まれるとしても構わない。
【００９７】
また、実施の形態において、空調制御システム１では、第１温度差と第２温度差と第３温度差と第４温度差とが、互いに異なるとして説明した。しかしながら、第２温度差が第１温度差よりも小さく、第４温度差が第３温度差よりも小さければ、１温度差と第２温度差と第３温度差と第４温度差との関係は、上記関係に限定される必要はない。例えば、第１温度差と、第３温度差又は第４温度差とが等しくても構わないし、第２温度差と、第３温度差又は第４温度差とが等しくても構わない。
【００９８】
また、実施の形態において、空調制御システム１は、情報取得部３が、センサ２３から、センサ２３によって検知された、空調室に人が存在するか否かを示す情報を取得するとして説明した。しかしながら、情報取得部３が、空調室に人が存在するか否かを示す情報を取得することができれば、必ずしもセンサ２３から取得する構成の例に限定される必要はない。別の一例として、空調制御システム１は、情報取得部３が、ユーザによって入力されるスケジュールに含まれる情報（例えば、「７〜１８時に在室」という情報）から、空調室に人が存在するか否かを示す情報を取得する構成の例も考えられる。この例の場合には、必ずしも、空調室にセンサ２３が設置される必要はない。
【００９９】
また、実施の形態において、第１排気ファン３１は、外部装置との通信機能を有し、排気量が設定可能であるとして説明した。しかしながら、第１排気ファン３１は、空調室から第１空気流入室への空気の流入を実現できれば、必ずしも外部装置との通信機能を有する必要もないし、必ずしも排気量が設定可能である必要もない。
【０１００】
また、実施の形態において、第２排気ファン３２は、外部装置との通信機能を有し、排気量が設定可能であるとして説明した。しかしながら、第２排気ファン３２は、空調室から第２空気流入室への空気の流入を実現できれば、必ずしも外部装置との通信機能を有する必要もないし、必ずしも排気量が設定可能である必要もない。
【０１０１】
また、実施の形態における空調制御処理において、第１排気量と第２排気量との比率の具体例として、「５：５」である例と、「７：３」である例とを例示して説明した。しかしながらこれら具体的な比率は一例に過ぎない。これら具体的な比率は、ステップＳ１１の処理後における第１空気流入室への空気の流入量の方が、ステップＳ１３の処理後における第１空気流入室への空気の流入量よりも大きくなる範囲内において、いかなる比率であっても構わない。
【０１０２】
また、上述の空調制御システム１における処理手順（図３に示す手順等）の実行順序は、必ずしも、上述した通りの順序に制限されるものではなく、発明の要旨を逸脱しない範囲で、実行順序を入れ替えたりその一部を省略したりすることができる。また、その処理手順（図３に示す手順等）の全部又は一部は、ハードウエアにより実現されても、ソフトウエアを用いて実現されてもよい。例えば、空調制御システム１は、ソフトウエア（プログラム）を含まないハードウエアのみで構成されるとしてもよい。
【０１０３】
また、上記実施の形態及び変形例等で示した構成要素及び機能を、任意に組み合わせることで実現される形態も本発明の範囲に含まれる。
【０１０４】
なお、本発明の包括的又は具体的な各種態様には、装置、システム、方法、集積回路、コンピュータプログラム、コンピュータで読み取り可能な記録媒体等の１つ又は複数の組み合わせが含まれる。
【０１０５】
以下、本発明の一態様に係る空調制御システム、及び空調制御方法についての構成、変形態様、効果等について示す。
【０１０６】
（１）本発明の一態様に係る空調制御システムは、空調装置が設置された空調室と、当該空調室から空気が流入する第１空気流入室とを含む建物における空調を制御する空調制御システムであって、前記第１空気流入室の温度を取得する温度取得部と、前記温度取得部によって取得された取得温度に基づいて、前記空調装置を制御する制御部とを備えることを特徴とする。
【０１０７】
この空調制御システムによると、第１空気流入室には、第１空気流入室の温度に応じて制御される空調設備が設置された空調室から空気が流入する。
【０１０８】
このため、第１空気流入室は、自室に空調設備が設置されていなくても、自室の温度に応じて、自室の温度が調整されることとなる。
【０１０９】
このように、この空調制御システムによると、空調装置が設置されていない部屋であっても、その部屋の温度に応じて、その部屋の温度を調整し得る。
【０１１０】
（２）例えば、前記制御部は、前記空調装置に設定されている前記空調室の設定温度と、前記取得温度との温度差に基づいて前記制御を行うとしてもよい。
【０１１１】
これにより、温度調整の対象となる部屋の温度と設定温度との温度差に応じて、その部屋の温度を調整することができるようになる。
【０１１２】
（３）例えば、前記空調装置は、前記空調室の設定温度として、基準設定温度と、当該基準設定温度よりも、前記空調装置における消費電力が小さくなる省電力設定温度とに設定可能であり、前記制御部は、前記空調装置に前記省電力設定温度が設定されている場合において、前記基準設定温度と前記取得温度との温度差の方が、前記省電力設定温度と前記取得温度との温度差よりも大きいときに、前記基準設定温度と前記取得温度との温度差が、前記基準設定温度と前記省電力設定温度との温度差よりも大きな第１温度差よりも大きくなると、前記空調装置の設定温度を、前記省電力設定温度から前記基準設定温度に変更させるように、前記制御を行うとしてもよい。
【０１１３】
これにより、温度調整の対象となる部屋の温度と標準設定温度との温度差が、第１温度差よりも大きくなり続けてしまう可能性を低減することができるようになる。
【０１１４】
（４）例えば、前記制御部は、前記空調装置に前記基準設定温度が設定されている場合において、前記基準設定温度と前記取得温度との温度差の方が、前記省電力設定温度と前記取得温度との温度差よりも大きいときに、前記基準設定温度と前記取得温度との温度差が、前記第１温度差よりも小さな第２温度差よりも小さくなると、前記空調装置の設定温度を、前記基準設定温度から前記省電力設定温度に変更させるように、前記制御を行うとしてもよい。
【０１１５】
これにより、空調装置の消費電力を低減することができるようになる。
【０１１６】
（５）例えば、さらに、前記空調室に人物が存在するか否かを示す情報を取得する情報取得部を備え、前記制御部は、さらに、前記情報取得部によって取得される情報が否定的である場合に限って、前記空調室の設定温度が、前記省電力設定温度に設定されるように、前記制御を行うとしてもよい。
【０１１７】
これにより、空調室に人がいる場合には、設定温度が省電力設定温度にならないようにすることができるようになる。
【０１１８】
（６）例えば、さらに、現在時刻が所定の期間内であるか否かを示す情報を取得する情報取得部を備え、前記制御部は、さらに、前記情報取得部によって取得される情報が肯定的である場合に限って、前記空調室の設定温度が、前記省電力設定温度に設定されるように、前記制御を行うとしてもよい。
【０１１９】
これにより、所定の期間以外の期間には、設定温度が省電力設定温度にならないようにすることができるようになる。
【０１２０】
（７）例えば、前記第１空気流入室は、前記第１空気流入室内の空気を外部に排気することで、前記空調室から前記第１空気流入室へ空気を流入させる第１排気ファンが設置され、前記制御部は、さらに、前記温度取得部によって取得された温度に基づいて、前記第１排気ファンにおける単位時間当たりの排気量である第１排気量を制御するとしてもよい。
【０１２１】
これにより、温度調整の対象となる部屋の温度の調整を、より速やかに行うことができるようになる。
【０１２２】
（８）例えば、前記建物は、さらに、前記空調室から空気が流入する第２空気流入室を含み、前記第２空気流入室は、前記第２空気流入室内の空気を外部に排気することで、前記空調室から前記第２空気流入室へ空気を流入させる第２排気ファンが設置され、前記制御部は、前記第１排気量の制御において、前記第１排気量と、前記第２排気ファンにおける単位時間当たりの排気量である第２排気量との和が一定となるように、前記第１排気量と前記第２排気量とを制御するとしてもよい。
【０１２３】
これにより、第１排気ファン及び第２排気ファンによって建物の外部に排気される空気の排気量を一定に保つことができるようになる。
【０１２４】
（９）本発明の一態様に係る空調制御方法は、空調装置が設置された空調室と、当該空調室から空気が流入する第１空気流入室とを含む建物における空調を制御する空調制御システムが行う空調制御方法であって、前記第１空気流入室の温度を取得する第１ステップと、前記第１ステップにおいて取得された取得温度に基づいて、前記空調装置を制御する第２ステップとを含むことを特徴とする。
【０１２５】
この空調制御方法によると、第１空気流入室には、第１空気流入室の温度に応じて制御される空調設備が設置された空調室から空気が流入する。
【０１２６】
このため、第１空気流入室は、自室に空調設備が設置されていなくても、自室の温度に応じて、自室の温度が調整されることとなる。
【０１２７】
このように、この空調制御方法によると、空調装置が設置されていない部屋であっても、その部屋の温度に応じて、その部屋の温度を調整し得る。
【符号の説明】
【０１２８】
１  空調制御システム
２  温度取得部
３  情報取得部
４  制御部
１０  住宅（建物）
１１  居間（空調室）
１２  和室（空調室）
１３  トイレ（第１空気流入室）
１４  洗面所（第２空気流入室）
２１  空調装置
２１Ａ  空調装置
２１Ｂ  空調装置
３１  第１排気ファン
３２  第２排気ファン
【図１】
0006765059.tif 000002
【図２】
0006765059.tif 000003
【図３】
0006765059.tif 000004
【図４】
0006765059.tif 000005
【図５】
0006765059.tif 000006
【図６】
0006765059.tif 000007
【図７】
0006765059.tif 000008